(57)【要約】      （修正有）【課題】照明手段の構造を簡略化し、かつ、ピクチャーを均一に照らし出すことを可能にして、家庭や職場において使用できる照明付きピクチャーフレームを提供する。【解決手段】ピクチャーの縁部を係合かつ支持するためのフレームと、フレームの裏側に位置して使用時にピクチャーが占める面の後方に配置された空洞を形成するケーシングと、空洞内に配置された照明手段と、照明手段の電源とを備え、照明手段はフレーム内に配置されたピクチャーを背後から照らすように構成されていることと、照明手段は、光を透過する取り付け管内で長手方向に配置されて長尺状に列をなす照明器具を備えることとを特徴とする表示装置。【選択図】図１
0003132744.tif 000002
【実用新案登録請求の範囲】
【請求項１】
表示装置であって、
ピクチャーの縁部を係合かつ支持するためのフレームと、
該フレームの裏側に位置して該装置の使用時にピクチャーが占める面の後方に配置された空洞を形成するケーシングと、
該空洞内に配置された照明手段と、
該照明手段の電源とを備え、
該照明手段は該フレームに配置されたピクチャーを背後から照らすように配置されていることと、該照明手段は、光を透過する取り付け管内で長手方向に配置されて長尺状に列をなす照明器具を備えることとを特徴とする表示装置。
【請求項２】
前記長尺状に列をなす照明器具は、管状のディフューザ内に配置され、該ディフューザは、前記取り付け管の径よりも小さい径を有することにより、該ディフューザは該取り付け管内に配置される請求項１に記載の装置。
【請求項３】
前記照明手段は、薄板状支持部の複数の開口部のそれぞれに取り付けられた直線配置の複数の発光ダイオードまたは他の電球を備える請求項１または２に記載の装置。
【請求項４】
反射体は前記照明手段の背後に配置される請求項１から３のいずれか一項に記載の装置。
【請求項５】
光センサ、すなわち感光検知器は、明るい環境では回路を遮断するように構成される請求項１から４のいずれか一項に記載の装置。
【請求項６】
前記フレーム、すなわちケーシングは、列状に配置された複数の光電池を備える請求項１から５のいずれか一項に記載の装置。
【考案の詳細な説明】
【技術分野】
【０００１】
本考案は照明付きピクチャーフレームに関し、特に、例えば、写真、絵画、版画、印刷物等（以下、総称してピクチャーという。）の縁部がフレームに係合した状態で取り付けられ、また、ピクチャーの後側に配置された照明器具、すなわち発光体によりその画像を照らし出すように構成された照明付きピクチャーフレームに関する。
【背景技術】
【０００２】
表示されたピクチャーを照らし出すために、表示パネル内に照明部品を配置することは周知である。しかしながら、このような照明部品は複雑な構造や回路を有するために、その使用が大型の屋外に設置される表示パネルに限定され、家庭や職場内で小型の装飾用のピクチャーフレームに使用するには適していない。
【考案の開示】
【考案が解決しようとする課題】
【０００３】
本考案は、照明手段の構造を簡略化し、かつ、ピクチャーを均一に照らし出すことを可能にする照明付きピクチャーフレームを提供することを目的とする。
【課題を解決するための手段】
【０００４】
本考案における表示装置は、ピクチャーの縁部を係合かつ支持するためのフレームと、フレームの裏側に位置して装置の使用時にピクチャーが占める面の後方に配置された空洞を形成するケーシングと、空洞内に配置された照明手段と、照明手段の電源とを備えており、照明手段はフレーム内に配置されたピクチャーを背後から照らすように構成されていることと、照明手段は、光を透過する取り付け管内で長手方向に配置されて長尺状に列をなす照明器具を備えることとを特徴とする。
【０００５】
好適な実施形態において、長尺状に列をなす照明器具は、管状のディフューザ内に配置され、ディフューザは、取り付け管の径よりも小さい径を有するために取り付け管内に配置することが可能である。
【０００６】
照明手段は、薄板状支持部にある複数の開口部のそれぞれに取り付けられた直線配列の複数の発光ダイオード（ＬＥＤ）または他の電球を備えることも可能である。
反射体は、照明手段の後側に配置される。反射体は、シート状またはフィルム状の金属からなってもよく、アルミニウム板、シート状の金属被覆された紙やプラスチック材料が望ましい。
【０００７】
ディフューザおよび取り付け管は、ネジ付きクリップや他の従来技術による固定具により、各端部においてまたは各端部に隣接して固定されてもよい。好適な実施形態においては、取り付け管およびディフューザの端部は、使用時に対流により熱を分散できるように開放されている。
【０００８】
電源は、１個の電池または列状に並べられた複数の電池からなってもよい。これに代えて、または、これに加えて、外部のコンセントや低電圧のＡＣまたはＤＣ電源に接続されていてもよい。
【０００９】
光センサ、すなわち感光検知器は、昼間等の明るい環境においては回路を遮断するように構成することにより、表示装置が夕暮れや夜間のみ作動して電力を節約することも可能である。
【００１０】
他の実施形態においては、フレーム、すなわちケーシングの１つまたは複数の外向き面は、１個の光電池または列状に配置された複数の光電池を組み込んでいても、あるいは備えていてもよい。このように構成することにより、電池や外部の電源の必要性を補ったり、そのような必要性を減少させることが可能である。
【考案を実施するための最良の形態】
【００１１】
以下、図面に基づき、本考案について説明するが、この説明は、本考案を例示されている特定の実施形態に制限しようとするものではない。
図面に示される照明付きピクチャーフレームデバイスは、木、プラスチックまたは他の材料からなるフレーム１を備える。フレーム１は、矩形、正方形あるいは他の形状であってもよい。イーゼル２は、フレーム１の後部に固定された矩形ケーシング３に取り付けられている。ケーシング３は、図３に示すような回転式留め具、すなわちクリップ４により取り外し可能に固定されている。ケーシング３は、複数の電池６を収容するように構成されたボックス５を備えており、ボックス５は取り外し可能なドア、すなわちカバー７により閉じられている。
【００１２】
ケーシング３は、フックやくぎにより壁からフレームを吊るすための２つのアタッチメント２８を備えていてもよい。
また、光センサ８、オン−オフ動作のスイッチ９およびＤＣ電源ジャック１０もケーシング３内に備えられている。
【００１３】
フレーム１内にピクチャー１２を取り付ける工程は、図４に示されている。アクリル製またはガラス製のカバーシート１１は、フレーム１の溝に配置され、ピクチャー１２はカバーシート１１上に配置される。ケーシング３は、ネジ、クリップまたは他の固定具によりケーシング３の前方の開口部に対して固定されたアクリル製シート１３を用いて閉じられ、このケーシングアセンブリは、クリップ４を回転させて所定の位置に固定される。
【００１４】
図５および６は照明のアセンブリを示す。薄板状のストリップ、すなわち印刷基板（ＰＣＢ）１６に取り付けられた直線配列の発光ダイオード（ＬＥＤ）１５は、例えば、不透明な、すなわち半透明のアクリルポリマーまたは紙からなる管状のディフューザ１７内へ挿入される。ディフューザ・照明アセンブリは、クリップ１９を用いてケーシング３の床板に固定された外側のアクリル製取り付け管１８内へ挿入される。取り付け管１８はケーシング３の中心軸に沿って配置されることが望ましい。反射シート、すなわち反射層３５は、前方に向かって放射するように形成される。反射層３５は、アルミホイル、他の金属材料、金属被覆されたポリマー材料、または紙からなってもよい。
【００１５】
図７は、照明付きピクチャーフレームデバイスの制御回路を示す。センサ・ＰＣＢアセンブリ（ＰＣＢＡ）は、光センサからの信号が、周辺光の強度が夕暮れ時などに所定値より低くなったことを示すと、照明器具にスイッチが入るように構成されている。回路は傾斜カバープレート２７により包囲されている。
【００１６】
バッテリーコンパートメントが図８に示される。アルカリ電池や再充電式電池２２は、接続端子間において従来方法により収容され、このアセンブリは、ネジや他の固定具により固定された傾斜カバープレート２４により包囲されている。
【００１７】
２つのカバープレート２４，２７は、使用時にピクチャーを通して前方へ光をより良好に反射させるために、照明ユニットを受容するチャネルを形成する。
ＰＣＢのアセンブリが図９に示される。トランジスタ２５およびマイクロプロセッサは、ネジ（図示せず）や他の固定具により回路板に取り付けられる。
【００１８】
図１０は、ＬＥＤ・ＰＣＢアセンブリを示す。ＰＣＢ３０は複数の開口部を有しており、例えば、図示するように４つの開口部には、レジスタ３２をそれぞれ有する白色ＬＥＤ３１が取り付けられている。ＬＥＤ３１は、ＰＣＢストリップの両側で光を発するように配置されるため、頑強かつ経済的な構成を提供する。
【００１９】
図１１は他の実施形態を示す。本実施の形態では、光電池３３からなるソーラーパネルを備えるため、昼間等の明るい環境において電池が再充電される。
図１２は、ＬＥＤ・ＰＣＢアセンブリ、ディフューザ１７および取り付け管１８からなるアセンブリを示し、同軸上に照明ユニットを形成する。
【００２０】
図１３は、列状のＬＥＤの正面図および上面図を示しており、ＬＥＤは、ＰＣＢストリップの両側に配置されている。
図１４は回路図である。同図において、本考案の照明付きピクチャーフレームの部品の接続状態が示される。
【図面の簡単な説明】
【００２１】
【図１】本考案のデバイスを示す斜視図。
【図２】デバイスの裏部を示す図。
【図３】固定クリップの回転を示す図。
【図４】フレームの組み立てを示す分解図。
【図５】ケーシングを示す図。
【図６】ケーシングの分解図。
【図７】制御回路構成を示す図。
【図８】バッテリーコンパートメントを示す図。
【図９】センサ・ＰＣＢアセンブリを示す図。
【図１０】ＬＥＤ・ＰＣＢアセンブリを示す図。
【図１１】ソーラーパネルを供えるデバイスを示す図。
【図１２】照明ユニットのアセンブリを示す図。
【図１３】ＬＥＤ・ＰＣＢアセンブリを示す図。
【図１４】本考案のデバイスの回路図。
【図１】
0003132744.tif 000003
【図２】
0003132744.tif 000004
【図３】
0003132744.tif 000005
【図４】
0003132744.tif 000006
【図５】
0003132744.tif 000007
【図６】
0003132744.tif 000008
【図７】
0003132744.tif 000009
【図８】
0003132744.tif 000010
【図９】
0003132744.tif 000011
【図１０】
0003132744.tif 000012
【図１１】
0003132744.tif 000013
【図１２】
0003132744.tif 000014
【図１３】
0003132744.tif 000015
【図１４】
0003132744.tif 000016